(57)【要約】      （修正有）【課題】文書の存在証明に関し、確定日付の確認品質を向上し、管理責任等を明確にした確定日付確認用文書等の保管ファイルを提供する。【解決手段】文章等の作成者の氏名と作成年月日及び公証人日付印の押印されている表紙と、ワープロやパソコンで作成した電子文書等又は紙面上の文書等をスキャナで取り出して電子化した文書等を印刷してなる本文と、該本文からハッシュ値（暗号値）を得てこれを証明すると共に記載してなる暗号頁と、前記表紙と前記本文と前記暗号頁とを記録したＣＤ−ＲＯＭと、該ＣＤ−ＲＯＭを袋体に入れて封印しその表面に公証人の確定日付印と前記確定日付確認用文章等の管理を必要とする特定者の日付印を押印してなるＣＤ−ＲＯＭ袋体とからなる。これにより、確定日付文書そのものから暗号値を取り出すことが出来、電子文書と比較することが出来、改竄の有無が判明する。【選択図】図１
0003184031.tif 000002
【実用新案登録請求の範囲】
【請求項１】
確定日付を確認することを必要とする書面，絵画，写真，文書，筆跡（以下、文章等を言う）であって改竄が出来ない又は確認出来形態からなる確認日付確認用文章等であって、該文章等は、前記文章等の作成者の氏名と作成年月日及び公証人日付印の押印されている表紙と、ワープロやパソコンで作成した電子文書等又は紙面上の文書等をスキャナで取り出して電子化した文書等を印刷してなる本文と、該本文からハッシュ値（暗号値）を得てこれを証明すると共に記載してなる暗号頁と、前記表紙と前記本文と前記暗号頁とを記録したＣＤ−ＲＯＭと、該ＣＤ−ＲＯＭを袋体に入れて封印しその表面に公証人の確定日付印と前記確定日付確認用文章等の管理を必要とする特定者の日付印を押印してなるＣＤ−ＲＯＭ袋体とからなることを特徴とする確定日付確認用文書等の保管ファイル。
【請求項２】
前記袋体内には確定日付を必要とする人に関する髪毛，爪，臍の緒等の物体と前記人の作成に係る前記文書等がタイムカプセル的に収納されることを特徴とする請求項１に記載の確定日付確認用文書等の保管ファイル。
【考案の詳細な説明】
【技術分野】
【０００１】  本考案は、確定日付確認用文書等の存在を証明するために各種の書面等をファイルしてなる確定日付確認用文書等の保管ファイルに関する。
【背景技術】
【０００２】  文書の存在を証明する技術としては本出願人の１人がかって作成したデジタルタイムスタンプを用いたものがあり、これにより文書の改竄が容易に発覚するので実質上改竄が不可能となり、更に標準時によって校正された日付情報が付与されるため文書の存在証明が容易、かつ確実のものとなる。また、特許文献の特願２０１０−２４６４７２号の如きタイムスタンプ技術（ハッシュ値と標準時とを利用したデジタルタイムスタンプ）には高い信頼性があり、民間のみならず公的機関においても電子文書保存法などを根拠として採用されている。しかしながら、電子証明書やタイムスタンプは現在においては改竄できないことを基本としているものの改竄やなりすましの可能性が絶対に無いとは証明（確定）出来ない。そのため、有効期限をあえて設けることを行っている。また、タイムスタンプの有効性を確実にする法律は存在しない。また、タイムスタンプの日時が争われてタイムスタンプが有効とした確たる判例も存在していないようである。【０００３】  一方、公証人による確定日付が存在証明としては周知であり、これによれば文章等に日付を記載し署名することにより公証人役場にて要部確認の上確定日付印が付与される。しかしながら、この公証人による確定日付を得るものは紙文章であり改竄の可能性が無しとは言えない。【０００４】  以上のように、タイムスタンプ技術においては改竄の心配が少ないが法的確実性に欠ける問題点があり、公証人の確定日付については法的確実性が担保されているが改竄の可能性を否定することは出来ない。
以上のことから、本願出願人の１人は次の「特許文献１」を創案し、出願をした。
【先行技術文献】
【特許文献】
【０００５】
【特許文献１】特願２０１１−２０８２２７（図２）  このものは、紙文書による確定日付の改竄の可能性を皆無とし、かつタイムスタンプ等を付与して又は付与しない電子文書に対し法的な確定日付の効果を持たせる技術を主体とした特許出願に関するものである。
【考案の概要】
【考案が解決しようとする課題】
【０００６】  前記の「特許文献１」の「特願２０１１−２０８２２７号」の内容にて考案としては十分のものではあるが、その内容について更に追記を必要とする必要内容がその後存在したためこの「特許文献１」を更に補完した考案を今回新出願として出願したものが本考案である。即ち、考案は「特許文献１」の「特願２０１１−２０８２２７号」の「図２」に示す内容の一部に新しい内容を追加したものからなり、確定日付の確認品質の向上を図ると共にその管理責任等を明確にした確定日付確認用文書等の保管ファイルを提供することを目的とする。
【課題を解決するための手段】
【０００７】  本考案は、前記の目的を達成するために請求項１の考案は、確定日付を確認することを必要とする書面，絵画，写真，文書，筆跡（以下、文章等を言う）であって改竄が出来ない又は確認出来る形態からなる確認日付確認用文章等であって、該文章等は、前記文章等の作成者の氏名と作成年月日及び公証人日付印の押印されている表紙と、ワープロやパソコンで作成した電子文書等又は紙面上の文書等をスキャナで取り出して電子化した文書等を印刷してなる本文と、該本文からハッシュ値（暗号値）を得てこれを証明すると共に記載してなる暗号頁と、前記表紙と前記本文と前記暗号頁とを記録したＣＤ−ＲＯＭと、該ＣＤ−ＲＯＭを袋体に入れて封印しその表面に公証人の確定日付印と前記確定日付確認用文章等の管理を必要とする特定者の日付印を押印してなるＣＤ−ＲＯＭ袋体とからなることを特徴とする。【０００８】  また、請求項２の考案は、前記袋体内には確定日付を必要とする人に関する髪毛，爪，臍の緒等の物体と前記人の作成に係る前記文書等がタイムカプセル的に収納されることを特徴とする。
【考案の効果】
【０００９】  本考案の請求項１の確定日付確認用文書等の保管ファイルによれば、この確定日付確認用文書等の保管ファイルは表紙と本文と暗号値とＣＤ−ＲＯＭとＣＤ−ＲＯＭ袋体からなり、電子文書の内容から得られる暗号値が、文書と共に記録され、確定日付により法的有効性を持って確定されるので、暗号値化された文書は改竄の有無が判明し、実質的に改竄不可能となる。また、記載（記録）された暗号化と同じ暗号値を有する電子文書が外部にあった場合には、確定日付文書と同一の内容であると判断出来るため、電子文書に対し確定日付の効果を付与することが出来る。また、文字が印字された部分は、スキャナ等で読んでＯＣＲ化し、テキスト文書とすることが出来、このテキスト文書のハッシュ値が記載されたハッシュ値と同じであることを確認することで、印字内容が改竄されていないことが判明する。また、タイムスタンプ、電子署名等を行った電子文書に法的確定日付の効果を付与することが出来、更には電子文書自体に暗号値を組み込ませる必要がないので、既に付されている暗号（電子署名やタイムスタンプ）に影響を及ぼすことが無い。
また、管理等を必要とする特定者の捺印の存在により管理責任の向上が図られる。【００１０】  また、本考案の請求項２の確定日付確認用文書等の保管ファイルによれば、袋体内には人に関する種々の物体を封入することが出来、タイムカプセル的な機能を有すると共に将来ＤＮＡ鑑定の基礎となる基礎データとしても適用され、その利用範囲は広い。
【図面の簡単な説明】
【００１１】
【図１】本考案の確定日付確認用文書等の保管ファイルの構成内容を示す説明図。
【考案を実施するための形態】
【００１２】  以下、本考案の確定日付確認用文書等の保管ファイルの実施の形態を図面を参照して説明する。
【００１３】  図１に示すように、本考案の確定日付確認用文書等の保管ファイル１００は表紙１と本文２と暗号頁３とＣＤ−ＲＯＭ４とＣＤ−ＲＯＭ袋体５とからなる。
【００１４】  表紙１は作成者の氏名と作成年月日が記載捺印されており、公証人の日付印６が押印されているものからなる。
【００１５】  本文２は本実施例ではページ１からページ３からなるが勿論そのページ数は作成者の指定によるものでありこの数に限定するものではない。この本文２は電子文書（ワープロやパソコンで作成した文書）や電子化文書等を印刷したものからなる。勿論、文章に限定するものではなく、絵画，写真，筆跡，書面等すべての著作文書等が含まれる。電子化の際には、ＰＤＦフォーマットとして取扱性の向上を図っている。
【００１６】  暗号頁３は本文の確定日付確認用文書等の保管ファイルのＰＤＦ文書から得られた（ＣＲＣ１６，ＣＲＣ３２，ＭＤ５，ＳＨＡ−１，ＳＨＡ−２５６，ＳＨＡ−５１２等の形式）ハッシュ値を印字し、又はＱＲコード（登録商標）７を印刷したものを透明袋体８に入れて封入したものや磁気テープ９としたものが使用される。
【００１７】  ＣＤ−ＲＯＭ４は表紙１や本文２をＣＤ化したものからなる。ここには電子スタンプ局の電子スタンプ印や行政書士の電子印を夫々押印した本文２が記録されている。
【００１８】  ＣＤ−ＲＯＭ袋体５は前記のＣＤ−ＲＯＭ４を袋体５に封入したものからなり、その表面には公証人の確定日付印１０やこの確定日付確認用文書等の保管ファイル１００を管理する特定者の印１１が押印される。
以上により、本考案の確定日付確認用文書等の保管ファイル１００は公正証書と同一の機能を有するものからなる。
【００１９】  本考案は、以上の説明の内容のものからなるが、その内容は前記内容に限定されるものではなく、同一技術的範疇のものが適用されることは勿論である。
【産業上の利用可能性】
【００２０】  本考案の確定日付確認用文書等の保管ファイル１００によれば、確定日付文書の利便性を高めることが出来、あらゆるアイデア、著作物等に創作の証拠をわかりやすく残すことで、特許権、著作権などに係る紛争を未然に防止し、紛争に係る時間的損失等を新製品開発などに向けることが出来る。
【符号の説明】
【００２１】１      表紙
２      本文
３      暗号頁
４      ＣＤ−ＲＯＭ
５      ＣＤ−ＲＯＭ袋体
６      公証人の日付印
７      ＱＲコード
８      透明袋体
９      磁気テープ
１０    公証人の確定日付印
１１    特定者の印
１００  確定日付確認用文書等の保管ファイル
【図１】
0003184031.tif 000003
【手続補正書】
【提出日】平成25年3月13日(2013.3.13)
【手続補正１】
【補正対象書類名】実用新案登録請求の範囲
【補正対象項目名】全文
【補正方法】変更
【補正の内容】
【実用新案登録請求の範囲】
【請求項１】
確定日付を確認することを必要とする書面，絵画，写真，文書，筆跡（以下、文書等と言う）であって改竄が出来ない形態からなる確認日付確認用文書等であって、該文書等は、前記文書等の作成者の氏名と作成年月日及び公証人日付印の押印されている表紙と、ワープロやパソコンで作成した電子文書等又は紙面上の文書等をスキャナで取り出して電子化した文書等を印刷してなる本文と、改竄を防止するため本文をハッシュ関数による処理操作をしてハッシュ値を求めてこれを記載するハッシュ値記載頁（これを暗号頁と仮称する）と、前記表紙と前記本文と前記暗号頁とを記録したＣＤ−ＲＯＭと、該ＣＤ−ＲＯＭを袋体に入れて封印しその表面に公証人の確定日付印と前記確定日付確認用文書等の管理を必要とする特定者の日付印を押印してなるＣＤ−ＲＯＭ袋体とからなることを特徴とする確定日付確認用文書等の保管ファイル。
【請求項２】
前記袋体内には確定日付を必要とする人に関する髪毛，爪，臍の緒等の物体と前記人の作成による前記文書等が収納されることを特徴とする請求項１に記載の確定日付確認用文書等の保管ファイル。
【手続補正２】
【補正対象書類名】明細書
【補正対象項目名】０００７
【補正方法】変更
【補正の内容】
【０００７】  本考案は、前記の目的を達成するために請求項１の考案は、確定日付を確認することを必要とする書面，絵画，写真，文書，筆跡（以下、文書等と言う）であって改竄が出来ない形態からなる確認日付確認用文書等であって、該文書等は、前記文書等の作成者の氏名と作成年月日及び公証人日付印の押印されている表紙と、ワープロやパソコンで作成した電子文書等又は紙面上の文書等をスキャナで取り出して電子化した文書等を印刷してなる本文と、改竄を防止するため本文をハッシュ関数による処理操作をしてハッシュ値を求めてこれを記載するハッシュ値記載頁（これを暗号頁と仮称する）と、前記表紙と前記本文と前記暗号頁とを記録したＣＤ−ＲＯＭと、該ＣＤ−ＲＯＭを袋体に入れて封印しその表面に公証人の確定日付印と前記確定日付確認用文書等の管理を必要とする特定者の日付印を押印してなるＣＤ−ＲＯＭ袋体とからなることを特徴とする。
【手続補正３】
【補正対象書類名】明細書
【補正対象項目名】０００８
【補正方法】変更
【補正の内容】
【０００８】  また、請求項２の考案は、前記袋体内には確定日付を必要とする人に関する髪毛，爪，臍の緒等の物体と前記人の作成による前記文書等が収納されることを特徴とする。